(57)【要約】セットインスリーブとラグランスリーブが混在した無縫製のニットウェアおよびこのニットウェアの編成方法を提供する。本発明のニットウェアは、身頃と袖を具え、前身頃は、袖ぐり部とニットウェア装着時の肩ラインに沿う肩ライン部とを有し、後身頃は、襟ぐりから身頃脇部分まで傾斜して延びる傾斜ライン部を有する。前後の身頃が無縫製で筒状に編成され、袖が無縫製で筒状に編成される。袖が前後身頃の袖ぐり部と肩ライン部と傾斜ライン部とに無縫製で接合され、袖の一部で襟ぐりが形成される。袖を身頃の袖ぐり部に接合させている間の前後の身頃の編成コース数は、後身頃の編成コース数を前身頃の編成コース数より少なく編成する。袖を身頃の肩ライン部に接合させている間の前後の身頃の編成コース数は、後身頃の編成コース数を前身頃の編成コース数より多く編成する。
2004072344.tif 000002
【特許請求の範囲】
【請求項１】
身頃と袖を具え、
前身頃または後身頃のどちらか一方は、袖ぐり部とニットウェア装着時の肩ラインに沿う肩ライン部とを有し、
他方の身頃は、襟ぐりから身頃脇部分まで傾斜して延びる傾斜ライン部を有し、
前身頃と後身頃とが無縫製で筒状に編成され、
袖が無縫製で筒状に編成され、
袖が前後身頃の袖ぐり部と肩ライン部と傾斜ライン部とに無縫製で接合され、袖の一部で襟ぐりが形成されており、
袖を身頃の袖ぐり部に接合させている間の前後の身頃の編成コース数については、傾斜ライン部側の身頃の編成コース数が肩ライン部側の身頃の編成コース数より少なく編成され、
袖を身頃の肩ライン部に接合させている間は、前後の身頃の編成コース数については、傾斜ライン部側の身頃の編成コース数が肩ライン部側の身頃の編成コース数より多く編成され、肩ライン部と接合される部分の袖が、肩ライン部の接合の際に引きつらない編成コース数で編成しながら接合されているとともに、袖と傾斜ライン部側の身頃の各編成コース数に対する接合コース比率が、袖と傾斜ライン部側の身頃との接合開始位置および接合終了位置を一致させたときに、袖と傾斜ライン部側の身頃との接合部分にたるみが生じない比率となるように袖と身頃とが接合されていることを特徴とするニットウェア。
【請求項２】
袖における身頃と接合される部分の編成部は、
袖ぐり部と接合される袖ぐり部接合部と、
この袖ぐり部接合部に連続し、肩ライン部と接合される肩ライン部接合部と、
傾斜ライン部と接合される傾斜ライン部接合部と、
傾斜ライン部接合部の上端部と肩ライン部接合部の上端部とを結び、襟ぐりを形成する襟ぐり形成部とを有していることを特徴とする請求項１に記載のニットウェア。
【請求項３】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて形成される袖を有するニットウェアの編成方法であって、
前身頃または後身頃のどちらか一方に、袖ぐり部とニットウェア装着時の肩ラインに沿う肩ライン部とを形成し、他方の身頃に、襟ぐりから身頃脇部分まで傾斜して延びる傾斜ライン部を形成するために、以下のステップを含むことを特徴とする。
１）  身頃と袖の接合開始位置まで、前身頃と後身頃とを裾部から筒状に編成していき、袖も袖口から筒状に編成していく第１ステップ、
２）  身頃と袖との接合開始部から袖ぐり部の途中までは、前後の身頃および袖の編成コース数を同数で編成しながら袖を袖ぐり部と傾斜ライン部とに接合していく第２ステップ、
３）  第２ステップ以降の袖ぐり部から肩ライン部開始位置までは、肩ライン部を有する身頃の編成コース数を傾斜ライン部を有する身頃の編成コース数よりも多く編成するととともに、袖を編成しながら袖を袖ぐり部と傾斜ライン部とに接合していく第３ステップ、
４）  傾斜ライン部を有する身頃の編成を肩ライン部を有する身頃の編成よりも編成コース数を多くして編成し、肩ライン部と接合される部分の袖を、肩ライン部の接合の際に引きつらない編成コース数で編成しながら接合するとともに、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率として、袖を編成しながら袖を肩ライン部と傾斜ライン部とに接合していく第４ステップ。
【請求項４】
請求項３に記載のニットウェアの編成方法の前記第４ステップにおいて、
袖は、肩ライン部と接合される肩ライン部接合部と、傾斜ライン部と接合される傾斜ライン部接合部とを有し、これらの接合終了時に肩ライン部接合部と傾斜ライン部接合部との間に襟ぐりが形成されるように袖を編成していくことを特徴とする。
【発明の詳細な説明】
【技術分野】  本発明は、袖を有するニットウェアおよび袖を有するニットウェアの編成方法に関する。特に本発明は、今までに無い袖付け形状を有するニットウェアおよびその編成方法を提供するものである。
【背景技術】  一般に、ニットウェアの袖付け形状は、例えば特公平４−１５３０１号公報（特許文献１）や特開平１１−６１６０３号公報（特許文献２）に示すように、いわゆるセットインスリーブとラグランスリーブとに大きく分かれている。
セットインスリーブは、特許文献１の第１図または特許文献２の図１に示すように、前後の身頃は、裾部と脇部と脇部の上端部から形成される袖ぐり部とニットウェア装着時に肩ラインに沿う肩ライン部とを有するように編成している。袖ぐり部は、脇と同じ方向に延びる直線部分を有し、この直線部分の上端部から肩ライン部が襟ぐりに向けて形成されている。そして、袖を前後の身頃の袖ぐり部に沿って接合した後、前後の身頃の互いの肩ライン部を接合するようにしている。
また、ラグランスリーブは、特許文献１の第４図または特許文献２の図１１に示すように、前後の身頃を、裾部と脇部と脇部の上端部から襟ぐりに向けて直線状に傾斜させて形成される傾斜ライン部とを有するように編成している。袖は、ニットウェア装着時に腕と肩を覆うように編成され、身頃の傾斜ライン部と接合させるとともに、袖の上端部に襟ぐりの一部を形成するようになっている。
ところで、一方の身頃の形状をセットインスリーブにし、他方の身頃の形状をラグランスリーブにしたデザインのものは今までに無かった。このようなデザインのニットウェアが無かった理由として以下の理由が挙げられる。
セットインスリーブの場合、袖ぐり部には、脇と同方向に伸びる直線部分があり、この直線部分に対して袖を接合する場合、袖を直線部分に対して直角に接合していく（特許文献２の図１参照）。
また、ラグランスリーブの場合、身頃と袖との接合は、身頃の傾斜ライン部に袖を接合していく。そのため、袖は、傾斜ライン部に対して斜めに接合していく（特許文献２の図１１参照）。
それぞれについて、袖の身頃との接合部分の編地長さを比較すると、セットインスリーブの袖ぐり部の長さよりも、ラグランスリーブの傾斜ライン部の長さの方が長くなる。したがって、ラグランスリーブ側に接合させる袖の接合部分の長さも、セットインスリーブ側に接合させる袖の接合部分の長さよりも長くなる。
このように、セットインスリーブとラグランスリーブとでは、身頃と袖の接合部分の長さが異なる。そのため、前身頃と後身頃を同じコース数で並行して編成しながら、一方の身頃の形状をセットインスリーブにし、他方の身頃の形状をラグランスリーブにすると、接合部分の長さの違いによりラグランスリーブ側の身頃と袖との接合が良好に行えない問題が生じる。
また、セットインスリーブの場合、身頃と袖とを接合していく際の身頃の編成コース数と袖の編成コース数の比は、一般に２対１で編成する場合が多い。また、ラグランスリーブの場合は、身頃と袖とを接合していく際の身頃の編成コース数と袖の編成コース数の比は、一般に１対１で編成する場合が多い。
そして、一方の身頃の形状をセットインスリーブにし、他方の身頃の形状をラグランスリーブにする場合に、前後の身頃について、身頃の編成コース数と袖の編成コース数の比を２対１で編成すると、ラグランスリーブ側の身頃の接合部分にだぶつきが生じてしまう。
また、前身頃（セットインスリーブ）と袖の編成コース数の比を２対１、後身頃（ラグランスリーブ）と袖の編成コース数の比を１対１として編成した場合、肩部でセットインスリーブの肩部分とラグランスリーブの袖部分を接合するために必要な袖の編成コース数が決まり、袖と１対１の編成コース数の比で編成される後身頃の編成コース数も決まる。
このように前身頃の編成コース数と関係なく後身頃の編成コース数が決まってしまうため、後身頃の編成コース数が前身頃の編成コース数に対し多くなり後身頃にだぶつきが生じてしまう。
以上の理由から、セットインスリーブとラグランスリーブとが混在したニットウェアの製品化は行えなかった。
【発明の開示】
本発明は以上の実情に鑑みて開発したものであって、セットインスリーブとラグランスリーブが混在した無縫製のニットウェアおよびこのニットウェアの編成方法を提供することを目的とする。
本発明のニットウェアは、セットインスリーブとラグランスリーブが混在した無縫製のニットウェアである。本発明のニットウェアは、身頃と袖を具え、前身頃または後身頃のどちらか一方は、袖ぐり部とニットウェア装着時の肩ラインに沿う肩ライン部とを有し、他方の身頃は、襟ぐりから身頃脇部分まで傾斜して延びる傾斜ライン部を有している。
そして、前身頃と後身頃とが無縫製で筒状に編成され、袖が無縫製で筒状に編成され、袖が前後身頃の袖ぐり部と肩ライン部と傾斜ライン部とに無縫製で接合され、袖の一部で襟ぐりが形成されている。袖を身頃の袖ぐり部に接合させている間の前後の身頃の編成コース数については、傾斜ライン部側の身頃の編成コース数を肩ライン部側の身頃の編成コース数より少なく編成されている。
また、袖を身頃の肩ライン部に接合させている間の前後の身頃の編成コース数については、傾斜ライン部側の身頃の編成コース数を肩ライン部側の身頃の編成コース数より多く編成されている。
この場合、肩ライン部と接合される部分の袖が、肩ライン部の接合の際に引きつらない編成コース数で編成されながら接合される。さらに、袖と傾斜ライン部側の身頃の各編成コース数に対する接合コース比率が、袖と傾斜ライン部側の身頃との接合開始位置および接合終了位置を一致させたときに、袖と傾斜ライン部側の身頃との接合部分にたるみが生じない比率となるように袖と身頃とが接合されている。なお、ニットウェア装着時の肩ラインは、ニットウェアを着用した状態の着用者を基準にしている。
袖ぐり部とニットウェア装着時の肩ラインに沿う肩ライン部とを有している身頃がいわゆるセットインスリーブ用の身頃となる。
セットインスリーブ側の身頃は、裾部と脇部と脇部の上端部から形成される袖ぐり部とニットウェア装着時に肩ラインに沿う肩ライン部とを有するように編成されている。袖ぐり部は、脇と同じ方向に延びる直線部分を有し、この直線部分の上端部から肩ライン部が襟ぐりに向けて形成されている。
肩ライン部は、身頃の裾部と平行し、袖ぐり部の直線部分と直交するように形成してもよいし、肩落ちが形成されるように裾部に対して傾斜させるように形成してもよい。
また、襟ぐりから身頃脇部分まで傾斜して延びる傾斜ライン部を有する身頃が、いわゆるラグランスリーブ用の身頃となる。
ラグランスリーブ側の身頃は、裾部と脇部と脇部の上端部から襟ぐりに向けてほぼ直線状に傾斜させて形成される傾斜ライン部とを有するように編成されている。
さらに、袖における身頃と接合される部分の編成部は、袖ぐり部と接合される袖ぐり部接合部と、この袖ぐり部接合部に連続し、肩ライン部と接合される肩ライン部接合部と、傾斜ライン部と接合される傾斜ライン部接合部と、傾斜ライン部接合部の上端部と肩ライン部接合部の上端部との間に形成される襟ぐり形成部とを有するように編成することが好ましい。
具体的には、肩ライン部の位置がニットウェア装着時の肩ラインよりも下方に位置するように一方の身頃を形成する。
そして、袖における身頃との接合部分の編成部は、袖を前身頃側と後身頃側の半分に分けたとき次のように形成されている。肩ライン部と接合される側の袖の編成部は、前記袖ぐり部接合部を有する台形状編成部と、この台形状編成部の上方に連続して形成され、前記肩ライン部接合部を有する矩形状編成部とを有している。この場合、矩形状編成部は、肩ライン部との接合終了により上端部が襟ぐりの一部となる。
また、傾斜ライン部と接合される側の袖の編成部は、傾斜ライン部と接合させる三角状編成部を有している。なお、台形状編成部と矩形状編成部とは、三角状編成部と連続して編成されている。
このように袖を編成することにより、ニットウェア装着時において袖の一部で肩が覆われるようになっている。
さらに、袖を身頃の袖ぐり部に接合させている間の前後の身頃の編成コース数と、袖を身頃の肩ライン部に接合させている間の前後の身頃の編成コース数について、袖ぐり部への接合時には、肩ライン部側の身頃の編成コース数を少なくし、肩ライン部への接合時には、肩ライン部側の身頃の編成コース数を多くしている。
また、袖は、肩ライン部への接合時において、肩ライン部と接合される部分の袖を肩ライン部の接合の際に引きつらない編成コース数で編成しながら接合される。そして、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率として、袖と身頃とを接合していく。
具体的には、袖を肩ライン部へ接合する時には、袖は肩ラインの長さに応じて肩ライン部に接合するために必要な編成コース数が求められる。そして、前後の身頃における袖と身頃との接合開始から接合終了までの全編成コース数も、前後の身頃の形状より求められる。
そして、傾斜ライン部側の身頃については、この全編成コース数から後記する第３ステップでそれまでに編成したコース数を減じることにより、後記する第４ステップで編成すべき残りの編成コース数が算出される。
肩ライン部への接合時には、この算出された身頃の残りの編成コース数と、袖の編成コース数に基づいて、袖と傾斜ライン部側の身頃との接合開始位置および接合終了位置が一致し、かつ、袖と傾斜ライン部側の身頃の接合部分がたるまないように、袖の編成コース数と傾斜ライン部側の身頃の編成コース数の接合していく比率を決定する。
このように編成されているので、本発明のニットウェアは、セットインスリーブとラグランスリーブが混在した無縫製のニットウェアでありながら、一方の身頃にだぶつきが生じない。
また、縫製作業を行うことなくセットインスリーブとラグランスリーブが混在した袖付きニットウェアを編成できるようにするため、本発明は以下に示すニットウェアの編成方法を提供する。
本発明の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて形成される袖を有するニットウェアの編成方法である。
そして、前身頃または後身頃のどちらか一方に、袖ぐり部とニットウェア装着時の肩ラインに沿う肩ライン部とを形成し、他方の身頃に、襟ぐりから身頃脇部分まで傾斜して延びる傾斜ライン部を形成するために、以下のステップを含むことを特徴としている。
１）  身頃と袖の接合開始位置まで、前身頃と後身頃とを裾部から筒状に編成していき、袖も袖口から筒状に編成していく第１ステップ。
２）  身頃と袖との接合開始部から袖ぐり部の途中までは、前後の身頃および袖の編成コース数を同数で編成しながら袖を袖ぐり部と傾斜ライン部とに接合していく第２ステップ。
３）  第２ステップ以降の袖ぐり部から肩ライン部開始位置までは、肩ライン部を有する身頃の編成コース数を傾斜ライン部を有する身頃の編成コース数よりも多く編成するととともに、袖を編成しながら袖を袖ぐり部と傾斜ライン部とに接合していく第３ステップ。
４）  傾斜ライン部を有する身頃の編成を肩ライン部を有する身頃の編成よりも編成コース数を多くして編成し、肩ライン部と接合される部分の袖を、肩ライン部の接合の際に引きつらない編成コース数で編成しながら接合するとともに、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率として、袖を編成しながら袖を肩ライン部と傾斜ライン部とに接合していく第４ステップ。
前記第１ステップでは、前身頃と後身頃との筒状編成と、袖の筒状編成を並行して行う。
前記第２ステップでは、前後の身頃と袖とは、目を減らしながら編成しつつ、身頃と袖とを接合していく。
前記第３ステップでは、肩ライン部を有する身頃は、袖ぐり部が形成される部分の編み目（ウェール）は同じまま編成する。この袖ぐり部と接合する側の袖編成部（前記台形状編成部）は、編み目は減らしながら編成し、袖を袖ぐり部に接合していく。
同じく第３ステップでは、傾斜ライン部を有する身頃は、袖との接合側の編み目を所定コースごとに減らしながら編成する。袖の傾斜ライン部と接合する側の袖編成部（前記三角状編成部）も、編み目を傾斜ライン部側よりも減らす回数が多くなるように減らしていく。
さらに、第３ステップでは、肩ライン部を有する身頃の編成コース数と傾斜ライン部を有する身頃の編成コース数の比が例えば２対１となるように編成することが好ましい。ただし、身頃の形状によっては、前記コース数の比は、異なる比率と同じ比率（たとえば２対１と１対１）が交互に繰り返されるように編成するようにしてもよい。
また、第３ステップでは、肩ライン部を有する身頃の編成コース数と傾斜ライン部を有する身頃の編成コース数と袖の編成コース数の比が４対３対２となるように編成することが好ましい。
第３ステップにより、袖ぐり部側の身頃の編成コース数より傾斜ライン部側の身頃の編成コース数が少ないので、身頃と袖を接合しても一方の身頃にだぶつきは生じない。
前記第４ステップは、肩ライン部を有する身頃に肩落ちを形成する場合には、袖との接合側の編み目を減らしながら肩ライン部が形成されるように身頃を編成し、また、肩落ちを形成しない場合には、編成を行うことなく目を編針に預けておく。袖の肩ライン部と接合する側の編成部（前記矩形状編成部）は、編み目（ウェール）は同じまま矩形状に編成し、肩ライン部と接合していく。
同じく第４ステップでは、第３ステップと同様に、傾斜ライン部を有する身頃は、袖との接合側の編み目を所定コースごとに減らしながら編成する。袖の傾斜ライン部と接合する側の袖編成部（前記三角状編成部）も、編み目を傾斜ライン部側よりも減らす回数が多くなるように減らしていく。
さらに、第４ステップでは、肩ライン部を有する身頃の編成コース数と傾斜ライン部を有する身頃の編成コース数の比が例えば１対２となるように編成することが好ましい。ただし、身頃の形状によっては、前記コース数の比は、異なる比率と同じ比率（たとえば１対２と１対１）が交互に繰り返されるように編成するようにしてもよい。
また、肩落ちを形成しない場合には、肩ライン部を有する身頃の編成コース数はゼロとなり、傾斜ライン部を有する身頃のみ編成を行う。第４ステップでは、傾斜ライン部を有する身頃の編成を行いながら、袖の編成も行っていく。
さらに、第４ステップでは、肩ライン部と接合される部分の袖を、肩ライン部の接合の際に引きつらない編成コース数で編成しながら接合する。そして、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率となるように袖と傾斜ライン部側の身頃とを接合していく。
第４ステップでは、編成前に、肩ラインの長さに応じて袖を肩ライン部に接合するために必要な編成コース数が求められ、かつ、前後の身頃における袖と身頃との接合開始から接合終了までの全編成コース数も前後の身頃の形状より求められる。
そして、傾斜ライン部側の身頃については、この全編成コース数から第３ステップでそれまでに編成したコース数を減じることにより、第４ステップで編成すべき残りの編成コース数を算出することができる。
第４ステップでは、この算出された身頃の残りの編成コース数と、袖の編成コース数に基づいて、袖の編成コース数と傾斜ライン部側の身頃の編成コース数の接合していく比率を決定する。この比率は、袖と傾斜ライン部側の身頃との接合開始位置および接合終了位置が一致し、かつ、袖と傾斜ライン部側の身頃の接合部分がたるまない比率とする。この比率で袖と身頃とを接合していく。
第３ステップにおいて、傾斜ライン部側の身頃の編成コース数が肩ライン部側の身頃に対して少ないので、第４ステップにおいて、傾斜ライン部側の身頃の編成コース数を多く編成することにより、前後の身頃の編み目の数の差を無くすことができる。
さらに、前後の身頃への袖の接合が完了すると、前記矩形状編成部の上端部により襟ぐりの一部が形成される。この矩形状編成部の襟ぐり部と、前後の身頃に形成された襟ぐり部とが連続接合されて襟ぐりが形成される。
本発明のニットウェアでは、前身頃にセットインスリーブを形成し、後身頃にラグランスリーブを形成するように編成することもできるし、前身頃にラグランスリーブを形成し、後身頃にセットインスリーブを形成するように編成することもできる。
以上のごとく本発明によれば、一方の身頃にだぶつきが生じることなく、セットインスリーブとラグランスリーブが混在した無縫製のニットウェアを提供できる。
本発明のニットウェアの編成方法では、第３ステップにより、袖ぐり部側の身頃の編成コース数より傾斜ライン部側の身頃の編成コース数が少ないので、身頃と袖を接合しても一方の身頃にだぶつきが生じないようにすることができる。
さらに、第３ステップにおいて、傾斜ライン部側の身頃の編成コース数が肩ライン部側の身頃に対して少ないので、第４ステップにおいて、傾斜ライン部側の身頃の編成コース数を多く編成することで、前後の身頃の編み目の数の差を無くすことができる。
さらに、第４ステップにおいて、肩ライン部と接合される部分の袖を、肩ライン部の接合の際に引きつらない編成コース数で編成しながら接合するとともに、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率として、袖を編成しながら袖を肩ライン部と傾斜ライン部とに接合していくので、身頃と袖を接合しても一方の身頃にだぶつきが、他方にひきつりが生じないようにすることができる。
以上のように、本発明の編成方法によれば、セットインスリーブとラグランスリーブが混在した無縫製のニットウェアを一方の身頃にだぶつきが生ずることなく編成できる。
【図面の簡単な説明】  第１図は、本発明にかかるニットウェアの実施形態であって、セーターを前身頃側から見た正面図（ａ）と、後身頃側から見た背面図（ｂ）とを示している。第２図は、本発明にかかるニットウェアの実施形態であって、セーターを構成する各パーツを横編み機上で編成される状態を示している。第３図は、本発明にかかるニットウェアの実施形態であって、前後の身頃と袖との接合部分における各パーツの部分拡大図を示している。第４図は、本発明のニットウェアの編成方法の第３ステップの編成工程図を示している。第５図は、本発明のニットウェアの編成方法の第４ステップの編成工程図を示している。
【発明を実施するための最良の形態】  以下、本発明にかかる袖を有するニットウェアおよびその編成方法についての実施形態を図面に基づいて説明する。
本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いてニットウェアを編成する。
２枚ベッドの横編機は、筒状のニットウェアを編成する場合、前後の各針床においてそれぞれ１本おきの針を用いて編成を行うようにしている。例えば、前針床の奇数番目の針を主として前身頃や袖の前部などニットウェアの前側部分の編地を編成するために用い、後針床の偶数番目の針を主として後身頃や袖の後部などのニットウェアの後側部分を編成するために用いる。
さらに、前後の針床は、一方の針床の編成用に用いられる針に対向する他方の針床の針を空針としており、この空針を目移しやリブ編み等をするために用いるようになっている。
これら空針を用いることにより、リンクス、ガーター、リブなどの表目と裏目が混在した組織柄を編成したり、袖や身頃の編目をコース方向に移動させて互いに接合することができるようになっている。
また、２枚ベッドの横編機を用いる場合、前後針床の一方または両方の上位にトランスファージャックを列設したトランスファージャックベッドを設けて編地を編成するようにしてもよい。
なお、本実施形態では、２枚ベッドの横編機を用いてニットウェアを編成するようにしているが、本発明は、上部前針床、下部前針床、上部後針床、そして下部後針床からなる４枚ベッドの横編機を用いて編成することもできる。
４枚ベッドの横編機を用いる場合には、例えば、下部前針床に編地の前側部分を付属させ、下部後針床に編地の後側部分を付属させる。そして、上部後針床を前側部分の編地を編成する際の空針として前側部分の編地の目移し等に用い、上部前針床を後側部分の編地を編成する際の空針として後側部分の編地の目移し等に用いる。
本実施形態は、上記２枚ベッドの横編機を用いて、ニットウェアを構成する身頃および袖を継ぎ目の無い連続した筒状となるようにシームレスに編成する方法およびこの編成方法で編成されるニットウェアを示す。
本発明の実施形態について、第１図から第５図に基づいて説明する。なお、第４図および第５図において、編成の流れを示す線上の○印は、身頃または袖の減らし目を行う位置を示している。
本実施形態で編成されるセーター１はＶネックの襟ぐりを有する長袖タイプのセーターである。本実施形態のセーター１は、身頃２と、左袖３、右袖１３と、襟ぐり４を有している。
前身頃２ａと後身頃２ｂとは、第２図において、袖接合開始位置である点Ａ，ａ，Ｇ，ｇより上方の形状が異なる。
前身頃２ａは、第２図に示すように、裾部２１ａと脇部２２ａと袖ぐり部２３と肩ライン部２４とを有している。前身頃２ａは、いわゆるセットインスリーブ用の身頃となる。
袖ぐり部２３は、脇部２２ａ，２２ｂの上端部（第２図のＡ，ａ位置）から形成され、脇と同じ方向に延びる直線部分（第２図のＢ−Ｃ，ｂ−ｃ）を有している。この直線部分の上端部（第２図のＣ，ｃ位置）から肩ライン部２４が襟ぐり４に向けて形成されている。肩ライン部２４は、ニットウェア装着時の肩ラインに沿うように形成されている。肩ライン部２４は、前身頃２ａの肩部分に肩落ち編成部２５を形成することにより、襟ぐり４から下方に向けて傾斜させている。さらに、前身頃２ａは、肩ライン部２４の位置がニットウェア装着時の肩ラインよりも下方に位置するように形成している。
後身頃２ｂは、第２図に示すように、裾部２１ｂと脇部２２ｂと襟ぐり４（第２図のＫ，ｋ位置）から身頃脇部分（第２図のＧ，ｇ位置）まで傾斜して延びる傾斜ライン部２６とを有している。後身頃２ｂが、いわゆるラグランスリーブ用の身頃となる。
左右の袖３，１３の身頃２と接合される部分の編成部分は、第２図および第３図に示すように、袖ぐり部２３と接合される袖ぐり部接合部３１と、肩ライン部２４と接合される肩ライン部接合部３２と、傾斜ライン部２６と接合される傾斜ライン部接合部３３と、襟ぐり形成部３４とを有している。
肩ライン部接合部３２は、袖ぐり部接合部３１から連続して形成されている。襟ぐり形成部３４は、傾斜ライン部接合部３３の上端部と肩ライン部接合部３２の上端部との間に形成される。
さらに、左右の袖３，１３における身頃２との接合部分の編成部分は、第３図に示すように、袖ぐり部接合部３１を有する台形状編成部３５と、肩ライン部接合部３２を有する矩形状編成部３６と、傾斜ライン部接合部３３を有する三角状編成部３７とを有している。
矩形状編成部３６は、台形状編成部３５の上方に連続して編成され、台形状編成部３５と矩形状編成部３６とは、三角状編成部３７と横方向に連続して編成されている。矩形状編成部３６は、肩ライン部２４との接合終了により上端部が襟ぐりの一部となる襟ぐり形成部３４となる。
本実施形態では、前身頃２ａと後身頃２ｂとが無縫製で筒状に編成され、袖３，１３が無縫製で筒状に編成される。そして、袖３，１３は、前身頃２ａの袖ぐり部２３と肩ライン部２４と、そ、して、後身頃２ｂの傾斜ライン部２６と無縫製で接合される。
袖３，１３を身頃２と接合していく際、袖３，１３を前身頃２ａの袖ぐり部２３に接合させている間の前身頃２ａと後身頃２ｂの編成コース数については、後身頃２ｂの編成コース数を前身頃２ａの編成コース数より少なく編成している。袖３，１３を前身頃２ａの肩ライン部２４に接合させている間の前身頃２ａと後身頃２ｂの編成コース数については、後身頃２ｂの編成コース数を前身頃２ａの編成コース数より多く編成している。
そして、袖３，１３と身頃２との接合が完了すると襟ぐり形成部３４で襟ぐり４の一部が形成される。
なお、本実施形態において、身頃や袖の左右を表す用語、例えば、左袖３や右袖１３などの右と左や、ニットウェア装着時の肩ラインは、セーター１を着用した状態の着用者を基準にしている。
次に、本実施形態のセーター１の編成手順について説明する。本実施形態では、後身頃２ｂ、右袖後部１３ｂ、左袖後部３ｂは、主として後針床上の奇数番目の針を使用して編成され、前身頃２ａ、右袖前部１３ａ、左袖前部３ａは、主として前針床上の偶数番目の針を使用して編成される。
セーター１における前身頃２ａ、後身頃２ｂおよび袖３，１３の編み組織は、説明の便宜上、平編みの無地とし、身頃２の裾部と袖３，１３の袖口はリブ編としているが、前身頃２ａ、後身頃２ｂおよび袖３，１３は、ジャガードやリブ等の組織柄のものであってもよい。
まず、身頃編成用と袖編成用にそれぞれ用意した給糸口（図示せず）から編糸を前身頃編成用の各針に供給した後、給糸口を反転させて後身頃編成用の各針へ編糸を供給する編成を繰り返して、筒状体の身頃と左右の筒状体の袖とを編成していく。
具体的には、前身頃２ａと後身頃２ｂとは、裾から袖との接合開始位置（Ａ，ａ，Ｇ，ｇ）まで筒状に編成していく。左袖前部３ａと左袖後部３ｂとは、袖口から身頃との接合開始位置（Ｋ，Ｐ）まで筒状に編成していく。右袖前部１３ａと右袖後部１３ｂとは、袖口から身頃との接合開始位置（ｋ，ｐ）まで筒状に編成していく（第１ステップ）。なお、身頃の裾と袖口はゴム編で編成する。
セーター１は、前身頃２ａの各点Ａ，ａが、左袖前部３ａおよび右袖前部１３ａの各点Ｋ，ｋと接合され、後身頃２ｂの各点Ｇ，ｇが、左袖後部３ｂおよび右袖後部１３ｂの各点Ｐ，ｐと接合される。身頃２に左袖３と右袖１３とが接合され始めたときに、身頃２と左袖３と右袖１３とが統合させて１つの筒状体となる。
身頃２と袖３，１３との接合開始部（Ａ−Ｋ，ａ−ｋ，Ｇ−Ｐ，ｇ−ｐ）から袖ぐり部２３の途中（Ｂ，ｂ）および傾斜ライン部２６の途中（Ｈ，ｈ）までは、前身頃２ａと後身頃２ｂと袖３，１３の編成コース数を同数で編成しながら、袖３，１３を袖ぐり部２３と傾斜ライン部２６とに接合していく（第２ステップ）。
第２ステップでは、左袖３はＬ−Ｑまで、右袖１３はｌ−ｑまで編成される。さらに、第２ステップでは、前身頃２ａ、後身頃２ｂ、袖３，１３のそれぞれは接合部分の編み目を減らしていく。
次に、第２ステップ以降の袖ぐり部２３（Ｂ，ｂ）から肩ライン部２４開始位置（Ｃ，ｃ）までは、前身頃２ａの編成コース数を後身頃２ｂの編成コース数よりも多く編成するとともに、袖３，１３を編成しながら袖３，１３を袖ぐり部２３と傾斜ライン部２６とに接合していく（第３ステップ）。
また、前身頃２ａにおいて襟ぐり４の形成が開始された後は、身頃２および袖３，１３の編成は、前身頃２ａの左側、左袖前部３ａ、左袖後部３ｂ、後身頃２ｂ、右袖後部１３ｂ、右袖前部１３ａ、前身頃２ａの右側の順に編成した後、その反対の順に編成する。そして、このように編成しながら、前身頃２ａと左袖前部３ａとを接合し、後身頃２ｂに左袖後部３ｂと右袖後部１３ｂとを接合し、前身頃２ａと右袖前部１３ａとを接合していく。
第３ステップの編成について、第４図に基づいて具体的に説明する。第４図において、太い線は、後身頃２ｂと、左袖後部３ｂと、右袖後部１３ｂとを示し、細い線は、前身頃２ａと、左袖前部３ａと、右袖前部１３ａとを示している。なお、第４図は、前身頃２ａにおいて襟ぐり４が形成され始めた状態を示している。
第３ステップでは、ａのパターンの編成とｂのパターンの編成とを交互に繰り返したり、または、ａ・ｂパターンを繰り返す途中でｂパターンのみを数回繰り返して編成していく。
ａパターン編成は、右袖後部１３ｂ、後身頃２ｂ、左袖後部３ｂの順に後側を１コース編成した後、左袖前部３ａを１コース編成し、前身頃２ａの左側半分を引き返し編みで合計４コース編成した後、左袖前部３ａを１コース編成する。次に、左袖後部３ｂを１コース編成し、後身頃２ｂを引き返し編みで３コース編成した後、右袖後部１３ｂを１コース編成する。次に、右袖前部１３ａを１コース編成し、前身頃２ａの右側半分を引き返し編みで合計４コース編成した後、右袖前部１３ａを１コース編成してａパターン編成が終了する。
ａパターン編成では、前身頃２ａと後身頃２ｂの編成コース数の比率が１対１となり、前身頃２ａと前側の袖３ａ，１３ａの編成コース数の比率が２対１となり、後身頃２ｂと後側の袖３ｂ，１３ｂの編成コース数の比率が２対１となっている。
ｂパターン編成は、右袖後部１３ｂ、後身頃２ｂ、左袖後部３ｂの順に後側を１コース編成した後、左袖前部３ａを１コース編成し、前身頃２ａの左側半分を引き返し編みで合計４コース編成した後、左袖前部３ａを１コース編成する。次に、左袖後部３ｂ、後身頃２ｂ、右袖後部１３ｂの順に後側を１コース編成した後、右袖前部１３ａを１コース編成し、前身頃２ａの右側半分を引き返し編みで合計４コース編成した後、右袖前部１３ａを１コース編成してｂパターン編成が終了する。
ｂパターン編成では、前身頃２ａと後身頃２ｂの編成コース数の比率が２対１となり、前身頃２ａと前側の袖３ａ，１３ａの編成コース数の比率が２対１となり、後身頃２ｂと後側の袖３ｂ，１３ｂの編成コース数の比率が１対１となっている。
第３ステップでは、第３図に示すように、袖３（１３）に、袖ぐり部接合部３１を有する台形状編成部３５と、傾斜ライン部接合部３３を有する三角状編成部３７の一部が編成される。さらに、第３ステップでは、後身頃２ｂ、袖３，１３は、身頃と袖との接合側の端部の編み目を減らしていき、前身頃２ａの身頃と袖との接合側の端部の編み目は同じウェールとなるように編成している。
第３ステップにより、前身頃２ａと前側の袖３ａ，１３ａの編成コース数の比率を２対１とし、後身頃２ｂと後側の袖３ｂ，１３ｂの編成コース数の比率を３対２としても、前身頃２ａの編成コース数より後身頃２ｂの編成コース数が少ないので、身頃２と袖３，１３を接合しても後身頃２ｂにだぶつきは生じない。
そして、第３ステップによって袖３，１３と身頃２との接合を肩ライン部２４開始位置（Ｃ，ｃ）まで行った後、次に第４ステップに移る。
第４ステップは、後身頃２ｂの編成を前身頃２ａの編成よりも編成コース数を多く編成し、肩ライン部と接合される部分の袖を、肩ライン部の接合の際に引きつらない編成コース数で編成しながら接合していく。さらに、袖３，１３と後身頃２ｂの各編成コース数に対する接合コース比率を、袖３，１３と後身頃２ｂとの接合開始位置および接合終了位置を一致させたときに、袖３，１３と後身頃２ｂとの接合部分にたるみが生じない比率として、袖３，１３を編成しながら袖３，１３を肩ライン部２４と傾斜ライン部２６とに接合していく。
さらに、第４ステップの編成について、第５図に基づいて具体的に説明する。第５図においても、太い線は、後身頃２ｂと、左袖後部３ｂと、右袖後部１３ｂとを示し、細い線は、前身頃２ａと、左袖前部３ａと、右袖前部１３ａとを示している。なお、第５図は、前身頃２ａにおいて肩落ち編成部２５が形成され始めた状態を示している。
第４ステップでは、ｃのパターンの編成とｄのパターンの編成とを交互に繰り返したり、または、ｃ・ｄパターンを繰り返す途中でｄパターンのみを数回繰り返して編成していく。
ｃパターン編成は、右袖後部１３ｂ、後身頃２ｂ、左袖後部３ｂの順に後側を１コース編成した後、左袖前部３ａを引き返し編みで２コース編成し、左袖後部３ｂを引き返し編みで２コース編成する。次に、左袖前部３ａ、前身頃２ａの左側半分を１コース編成して引き返し、前身頃２ａの左側半分、左袖前部３ａを１コース編成する。次に、左袖後部３ｂ、後身頃２ｂ、右袖後部１３ｂの順に後側を１コース編成した後、右袖前部１３ａを引き返し編みで２コース編成し、右袖後部１３ｂを引き返し編みで２コース編成する。次に、右袖前部１３ａ、前身頃２ａの右側半分を１コース編成して引き返し、前身頃２ａの右側半分、右袖前部１３ａを１コース編成してｃパターン編成が終了する。
ｃパターン編成では、前身頃２ａと後身頃２ｂの編成コース数の比率が１対１となり、前身頃２ａと前側の袖３ａ，１３ａの編成コース数の比率が１対２となり、後身頃２ｂと後側の袖３ｂ，１３ｂの編成コース数の比率が１対２となっている。
ｄパターン編成は、右袖後部１３ｂ、後身頃２ｂ、左袖後部３ｂの順に後側を１コース編成した後、左袖前部３ａを引き返し編みで２コース編成する。次に、左袖後部３ｂ、後身頃２ｂ、右袖後部１３ｂの順に後側を１コース編成した後、右袖前部１３ａを引き返し編みで２コース編成する。次に、右袖後部１３ｂ、後身頃２ｂ、左袖後部３ｂの順に後側を１コース編成した後、次に、左袖前部３ａと前身頃２ａの左側半分を１コース編成して引き返し、前身頃２ａの左側半分と左袖前部３ａを１コース編成する。次に、左袖後部３ｂ、後身頃２ｂ、右袖後部１３ｂの順に後側を１コース編成した後、右袖前部１３ａと前身頃２ａの右側半分を１コース編成して引き返し、前身頃２ａの右側半分と右袖前部１３ａを１コース編成してｄパターン編成が終了する。
ｄパターン編成では、前身頃２ａと後身頃２ｂの編成コース数の比率が１対２となり、前身頃２ａと前側の袖３ａ，１３ａの編成コース数の比率が１対２となり、後身頃２ｂと後側の袖３ｂ，１３ｂの編成コース数の比率が１対１となっている。
さらに、第４ステップでは、袖３（１３）には、台形状編成部３５の上方に連続編成される矩形状編成部３６と、三角状編成部３７とが編成される。そして、袖３，１３は、肩ライン部接合部３２を肩ライン部２４と接合し、傾斜ライン部接合部３３を傾斜ライン部２６と接合していく。これらの接合終了時に肩ライン部接合部３２と傾斜ライン部接合部３３との間に襟ぐり形成部３４が形成される。第４ステップでは、前身頃２ａの肩落ち編成部２５と、後身頃２ｂと、袖３，１３の後部３ｂ，１３ｂについて、身頃と袖の接合側の編み目を減らしていく。
さらに、第４ステップでは、編成前に、肩ラインの長さに応じて袖３，１３を肩ライン部２４に接合するために必要な編成コース数が求められる。例えば、肩ライン部２４のウェール数を２０目とした場合、袖３，１３をその倍の４０コース編成する。
そして、前後の身頃における袖と身頃との接合開始から接合終了までの全編成コース数も前後の身頃の形状から求められる。例えば、第２図おいて、前身頃２ａのＦ，ｆの位置からＤ，ｄまでのコース数（例えば６４目）に袖３，１３のＴ，Ｕまたはｔ，ｕ間のウェール数（例えば１４目）を加算した目数が全編成コース数（７８目）となる。
そして、後身頃２ｂについては、この全編成コース数（７８目）から第３ステップでそれまでに編成したコース数（例えば４８目）を減じることにより、第４ステップで編成すべき残りの編成コース数（３０目）を算出することができる。
第４ステップでは、この算出された身頃の残りの編成コース数（３０目）と、袖の編成コース数（４０目）に基づいて、袖３，１３と後身頃２ｂとの接合開始位置および接合終了位置が一致し、かつ、袖３，１３と後身頃２ｂの接合部分がたるまないように、袖３，１３および後身頃２ｂの編成コース数の接合していく比率を４対３に決定する。そして、この比率で袖と身頃とを接合していく。
第４ステップでは、第３ステップにおいて、後身頃２ｂの編成コース数が前身頃２ａに対して少ないので、第４ステップにおいて、後身頃２ｂの編成コース数を多く編成することにより、前身頃２ａとの編み目の数の差を無くすことができる。
身頃２と袖３，１３との接合が完了すると、後針床には後身頃２ｂの襟ぐり（第２図のＫ−ｋ）の編目が係止される。矩形状編成部３６を形成した場合には、前後の身頃２と袖３，１３により襟ぐり４が形成される。また、矩形状編成部を形成せず、袖の中央まで第３ステップの編成方法で袖と身頃を接合した場合には、第３図のＤ，Ｋ，Ｓが接合されて、前後の身頃により襟ぐりが形成される。
前針床には、前身頃２ａの襟ぐり（第２図のＤ−Ｅ−Ｆ−ｆ−ｅ−ｄ）、左袖前部３ａの矩形状編成部３６の襟ぐり形成部３４（第２図のＴ−Ｕ）、右袖前部１３ａの矩形状編成部３６の襟ぐり形成部３４（第２図のｔ−ｕ）の編目が係止された状態となる。この状態で、ゴム編みの襟ぐりを編成していく。
本実施形態では、肩ライン部２４は、肩落ち編成部２５により肩落ちが形成されるように裾部に対して傾斜させるように形成したが、肩落ち編成部を編成しないで肩ライン部を身頃の裾部と平行させ、袖ぐり部の直線部分と直交するように形成してもよい。
【産業上の利用可能性】  本発明は、横編機を用いて、一方の身頃にだぶつきが生じることのないセットインスリーブとラグランスリーブが混在した無縫製のニットウェアを編成することに適している。
【図１】
2004072344.tif 000003
【図２】
2004072344.tif 000004
【図３】
2004072344.tif 000005
【図４】
2004072344.tif 000006
【図５】
2004072344.tif 000007
【手続補正書】
【提出日】平成16年8月12日(2004.8.12)
【手続補正００１】
【補正対象書類名】特許請求の範囲
【補正対象項目名】全文
【補正方法】変更
【補正の内容】
【特許請求の範囲】
【請求項１】
身頃と袖を具え、
前身頃または後身頃のどちらか一方は、袖ぐり部とニットウェア装着時の肩ラインに沿う肩ライン部とを有し、
他方の身頃は、襟ぐりから身頃脇部分まで傾斜して延びる傾斜ライン部を有し、
袖は、袖ぐり部と接合される袖ぐり部接合部と、肩ライン部と接合される肩ライン部接合部と、傾斜ライン部と接合される傾斜ライン部接合部と、傾斜ライン部接合部の上端部と肩ライン部接合部の上端部とを結び、襟ぐりを形成する襟ぐり形成部とを有し、
前身頃と後身頃、袖前部と袖後部、身頃と袖が無縫製で接合され、
肩ライン部を有する身頃における袖と身頃との接合開始位置から肩ライン部の上端まで編成される全編成コースに、袖の襟ぐり形成部のウェール数を加算した全目数と、傾斜ライン部を有する身頃における傾斜ライン部の下端から上端まで編成される全編成コース数の目数とが同数であり、
袖における身頃との接合開始位置から袖ぐり部接合部の上端まで編成される間に、袖と接合される前後の身頃の編成コース数については、傾斜ライン部側の身頃の編成コース数が肩ライン部側の身頃の編成コース数より少なく編成され、袖の編成コース数も肩ライン部を有する身頃の編成コース数よりも少なく編成され、
袖における袖ぐり部接合部上端から肩ライン部接合部の上端まで編成される間に、袖と接合される前後の身頃の編成コース数については、傾斜ライン部側の身頃の編成コース数が肩ライン部側の身頃の編成コース数より多く編成され、袖の編成コース数も肩ライン部を有する身頃の編成コース数よりも多く編成されていることを特徴とするニットウェア。
【請求項２】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて形成される袖を有するニットウェアの編成方法であって、
前身頃または後身頃のどちらか一方に、袖ぐり部とニットウェア装着時の肩ラインに沿う肩ライン部とを形成し、
他方の身頃に、襟ぐりから身頃脇部分まで傾斜して延びる傾斜ライン部を形成し、
袖に、袖ぐり部と接合される袖ぐり部接合部と、肩ライン部と接合される肩ライン部接合部と、傾斜ライン部と接合される傾斜ライン部接合部と、傾斜ライン部接合部の上端部と肩ライン部接合部の上端部とを結び、襟ぐりを形成する襟ぐり形成部とを形成し、
肩ライン部を有する身頃における袖と身頃との接合開始位置から肩ライン部の上端まで編成される全編成コース数に袖の襟ぐり形成部のウェール数を加算した全目数と、傾斜ライン部を有する身頃における傾斜ライン部の下端から上端まで編成される全編成コース数の目数とが同数となるように編成するために、以下のステップを含むことを特徴とする。
１）  身頃と袖の接合開始位置まで、前身頃と後身頃とを裾部から筒状に編成していき、袖も袖口から筒状に編成していく第１ステップ、
２）  袖における身頃との接合開始位置から袖ぐり部接合部の途中まで編成される間は、前後の身頃および袖の編成コース数を同数で編成しながら、袖の袖ぐり部接合部を袖ぐり部に、袖の傾斜ライン部接合部を傾斜ライン部に接合していく第２ステップ、
３）  第２ステップで編成された袖の袖ぐり部接合部の途中から袖ぐり部接合部の上端まで編成される間は、傾斜ライン部を有する身頃の編成コース数を肩ライン部を有する身頃の編成コース数よりも少なくし、袖の編成コース数も肩ライン部を有する身頃の編成コース数よりも少なくして編成するととともに、袖を編成しながら、袖の袖ぐり部接合部を袖ぐり部に、袖の傾斜ライン部接合部を傾斜ライン部に接合していく第３ステップ、
４）  傾斜ライン部を有する身頃において前記全編成コース数から第３ステップまでに編成されたコース数を減じて算出されたコース数に基づいて、
袖における袖ぐり部接合部上端から肩ライン部接合部の上端まで編成される間は、
傾斜ライン部を有する身頃の編成コース数を肩ライン部を有する身頃の編成コース数より多くし、袖の編成コース数も肩ライン部を有する身頃の編成コース数よりも多くして編成するとともに、
袖を編成しながら、袖の肩ライン部接合部を肩ライン部に、袖の傾斜ライン部接合部を傾斜ライン部に接合していく第４ステップ。
【請求項３】
請求項２に記載のニットウェアの編成方法の前記第４ステップにおいて、
肩ライン部と肩ライン部接合部との接合、傾斜ライン部と傾斜ライン部接合部との接合終了時に、肩ライン部接合部と傾斜ライン部接合部との間に襟ぐり形成部が形成されるように袖を編成していくことを特徴とする。
【手続補正００２】
【補正対象書類名】明細書
【補正対象項目名】０００４
【補正方法】変更
【補正の内容】
【０００４】
ている。
そして、前身頃と後身頃とが無縫製で筒状に編成され、袖が無縫製で筒状に編成され、袖が前後身頃の袖ぐり部と肩ライン部と傾斜ライン部とに無縫製で接合され、袖の一部で襟ぐりが形成されている。
袖は、袖ぐり部と接合される袖ぐり部接合部と、肩ライン部と接合される肩ライン部接合部と、傾斜ライン部と接合される傾斜ライン部接合部と、傾斜ライン部接合部の上端部と肩ライン部接合部の上端部とを結び、襟ぐりを形成する襟ぐり形成部とを有する。
肩ライン部を有する身頃における袖と身頃との接合開始位置から肩ライン部の上端まで編成される全編成コースに、袖の襟ぐり形成部のウェール数を加算した全目数と、傾斜ライン部を有する身頃における傾斜ライン部の下端から上端まで編成される全編成コース数の目数とが同数となるように、前後の身頃と袖が編成されている。
袖を身頃の袖ぐり部に接合させている間、即ち、袖における身頃との接合開始位置から袖ぐり部接合部の上端まで編成される間に、袖と接合される前後の身頃の編成コース数については、傾斜ライン部側の身頃の編成コース数が肩ライン部側の身頃の編成コース数より少なく編成されている。しかも、袖の編成コース数も肩ライン部を有する身頃の編成コース数よりも少なく編成されている。
また、袖を身頃の肩ライン部に接合させている間、即ち、袖における袖ぐり部接合部上端から肩ライン部接合部の上端まで編成される間に、袖と接合される前後の身頃の編成コース数については、傾斜ライン部側の身頃の編成コース数が肩ライン部側の身頃の編成コース数より多く編成されている。しかも、袖の編成コース数も肩ライン部を有する身頃の編成コース数よりも多く編成されている。
この場合、肩ライン部と接合される部分の袖が、肩ライン部の接合の際に引きつらない編成コース数で編成されながら接合される。さらに、袖と傾斜ライン部側の身頃の各編成コース数に対する接合コース比率が、袖と傾斜ライン部側の身頃との接合開始位置および接合終了位置を一致させたときに、袖と傾斜ライン部側の身頃との接合部分にたるみが生じない比率となるように袖と身頃とが接合されている。なお、ニットウェア装着時の肩ラインは、ニットウェアを着用した状態の着用者を基準にしている。
袖ぐり部とニットウェア装着時の肩ラインに沿う肩ライン部とを有している身頃がいわゆるセットインスリーブ用の身頃となる。
セットインスリーブ側の身頃は、裾部と脇部と脇部の上端部から形成される袖ぐり部とニットウェア装着時に肩ラインに沿う肩ライン部とを有するように編成されている。袖ぐり部は、脇と同じ方向に延びる直線部分を有し、この直線部分の上端部から肩ライン部が襟ぐりに向けて形成されている。
肩ライン部は、身頃の裾部と平行し、袖ぐり部の直線部分と直交す


【手続補正００３】
【補正対象書類名】明細書
【補正対象項目名】０００５
【補正方法】変更
【補正の内容】
【０００５】
るように形成してもよいし、肩落ちが形成されるように裾部に対して傾斜させるように形成してもよい。
具体的には、肩ライン部の位置がニットウェア装着時の肩ラインよりも下方に位置するように一方の身頃を形成する。
また、襟ぐりから身頃脇部分まで傾斜して延びる傾斜ライン部を有する身頃が、いわゆるラグランスリーブ用の身頃となる。
ラグランスリーブ側の身頃は、裾部と脇部と脇部の上端部から襟ぐりに向けてほぼ直線状に傾斜させて形成される傾斜ライン部とを有するように編成されている。
さらに、袖における身頃と接合される部分の編成部は、前記したように、袖ぐり部接合部と、この袖ぐり部接合部に連続する肩ライン部接合部と、傾斜ライン部接合部と、傾斜ライン部接合部の上端部と肩ライン部接合部の上端部との間に形成される襟ぐり形成部とを有するように編成する。
そして、袖における身頃との接合部分の編成部は、袖を前身頃側と後身頃側の半分に分けたとき次のように形成されている。肩ライン部と接合される側の袖の編成部は、前記袖ぐり部接合部を有する台形状編成部と、この台形状編成部の上方に連続して形成され、前記肩ライン部接合部を有する矩形状編成部とを有している。この場合、矩形状編成部は、肩ライン部との接合終了により上端部が襟ぐりの一部となる。
また、傾斜ライン部と接合される側の袖の編成部は、傾斜ライン部と接合させる三角状編成部を有している。なお、台形状編成部と矩形状編成部とは、三角状編成部と連続して編成されている。
このように袖を編成することにより、ニットウェア装着時において


【手続補正００４】
【補正対象書類名】明細書
【補正対象項目名】０００６
【補正方法】変更
【補正の内容】
【０００６】
袖の一部で肩が覆われるようになっている。
さらに、袖を身頃の袖ぐり部に接合させている間の前後の身頃の編成コース数と、袖を身頃の肩ライン部に接合させている間の前後の身頃の編成コース数について、袖ぐり部への接合時には、肩ライン部側の身頃の編成コース数を多くし、肩ライン部への接合時には、肩ライン部側の身頃の編成コース数を少なくしている。
また、袖は、肩ライン部への接合時において、肩ライン部と接合される部分の袖を肩ライン部の接合の際に引きつらない編成コース数で編成しながら接合される。そして、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率として、袖と身頃とを接合していく。
具体的には、袖を肩ライン部へ接合する時には、袖は肩ラインの長さに応じて肩ライン部に接合するために必要な編成コース数が求められる。そして、前後の身頃における袖と身頃との接合開始から接合終了までの全編成コース数も、前後の身頃の形状より求められる。
そして、傾斜ライン部側の身頃については、この全編成コース数から後記する第３ステップでそれまでに編成したコース数を減じることにより、後記する第４ステップで編成すべき残りの編成コース数が算出される。
袖を肩ライン部側身頃の肩ライン部へ接合する時において、算出された傾斜ライン部側身頃の残りの編成コース数と、袖の編成コース数に基づいて、袖の編成コース数と傾斜ライン部側の身頃の編成コース数の接合していく比率を決定する。具体的には、袖と傾斜ライン部側の身頃との接合開始位置および接合終了位置が一致し、かつ、袖と傾斜ライン部側の身頃の接合部分がたるまないように前記比率を決定する。


【手続補正００５】
【補正対象書類名】明細書
【補正対象項目名】０００７
【補正方法】変更
【補正の内容】
【０００７】
このように編成されているので、本発明のニットウェアは、セットインスリーブとラグランスリーブが混在した無縫製のニットウェアでありながら、一方の身頃にだぶつきが生じない。
また、縫製作業を行うことなくセットインスリーブとラグランスリーブが混在した袖付きニットウェアを編成できるようにするため、本発明は以下に示すニットウェアの編成方法を提供する。
本発明の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて形成される袖を有するニットウェアの編成方法である。
本発明の編成方法で編成するニットウェアは、前記したように前身頃または後身頃のどちらか一方に、袖ぐり部とニットウェア装着時の肩ラインに沿う肩ライン部とを形成している。他方の身頃に、襟ぐりから身頃脇部分まで傾斜して延びる傾斜ライン部を形成している。
袖には、袖ぐり部接合部と、肩ライン部接合部と、傾斜ライン部接合部と、襟ぐり形成部とを形成している。
そして、肩ライン部を有する身頃における袖と身頃との接合開始位置から肩ライン部の上端まで編成される全編成コース数に袖の襟ぐり形成部のウェール数を加算した全目数と、傾斜ライン部を有する身頃における傾斜ライン部の下端から上端まで編成される全編成コース数の目数とが同数となっている。
本発明は、このようなニットウェアを編成するために以下のステップを含むことを特徴としている。
１）  身頃と袖の接合開始位置まで、前身頃と後身頃とを裾部から筒状に編成していき、袖も袖口から筒状に編成していく第１ステップ。
２）  袖における身頃との接合開始位置から袖ぐり部接合部の途中


【手続補正００６】
【補正対象書類名】明細書
【補正対象項目名】０００８
【補正方法】変更
【補正の内容】
【０００８】
まで編成される間は、前後の身頃および袖の編成コース数を同数で編成しながら、袖の袖ぐり部接合部を袖ぐり部に、袖の傾斜ライン部接合部を傾斜ライン部に接合していく第２ステップ。
３）  第２ステップで編成された袖の袖ぐり部接合部の途中から袖ぐり部接合部の上端まで編成される間は、傾斜ライン部を有する身頃の編成コース数を肩ライン部を有する身頃の編成コース数よりも少なくし、袖の編成コース数も肩ライン部を有する身頃の編成コース数よりも少なくして編成するとともに、袖を編成しながら、袖の袖ぐり部接合部を袖ぐり部に、袖の傾斜ライン部接合部を傾斜ライン部に接合していく第３ステップ。
４）  傾斜ライン部を有する身頃において前記全編成コース数から第３ステップまでに編成されたコース数を減じて算出されたコース数に基づいて、袖における袖ぐり部接合部上端から肩ライン部接合部の上端まで編成される間は、傾斜ライン部を有する身頃の編成コース数を肩ライン部を有する身頃の編成コース数より多くし、袖の編成コース数も肩ライン部を有する身頃の編成コース数よりも多くして編成するとともに、袖を編成しながら、袖の肩ライン部接合部を肩ライン部に、袖の傾斜ライン部接合部を傾斜ライン部に接合していく第４ステップ。
第４ステップでは、さらに、袖と傾斜ライン部側の身頃の各編成コース数に対する接合コース比率を、袖と傾斜ライン部側の身頃との接合開始位置および接合終了位置を一致させたときに、袖と傾斜ライン部側の身頃との接合部分にたるみが生じない比率として、袖を編成しながら肩ライン部と傾斜ライン部とに接合していく。
前記第１ステップでは、前身頃と後身頃との筒状編成と、袖の筒状編成を並行して行う。
前記第２ステップでは、前後の身頃と袖とは、目を減らしながら編成しつつ、身頃と袖とを接合していく。
前記第３ステップでは、肩ライン部を有する身頃は、袖ぐり部が形成される部分の編み目（ウェール）は同じまま編成する。この袖ぐり部と接合する側の袖編成部（前記台形状編成部）は、編み目は減らしながら編成し、袖を袖ぐり部に接合していく。
同じく第３ステップでは、傾斜ライン部を有する身頃は、袖との接合側の編み目を所定コースごとに減らしながら編成する。袖の傾斜ライン部と接合する側の袖編成部（前記三角状編成部）も、編み目を傾斜ライン部側よりも減らす回数が多くなるように減らしていく。
さらに、第３ステップでは、肩ライン部を有する身頃の編成コース数と傾斜ライン部を有する身頃の編成コース数の比が例えば２対１となるように編成することが好ましい。ただし、身頃の形状によっては、前記コース数の比は、異なる比率と同じ比率（たとえば２対１と１対１）が交互に繰り返されるように編成するようにしてもよい。
また、第３ステップでは、肩ライン部を有する身頃の編成コース数と傾斜ライン部を有する身頃の編成コース数と袖の編成コース数の比が４対３対２となるように編成することが好ましい。




【国際調査報告】
2004072344.tif 000008
2004072344.tif 000009
2004072344.tif 000010
2004072344.tif 000011